(57)【要約】【課題】  細長比が小さいブレース芯材に対する簡易的かつ効果的な座屈補剛構造を提供する。【解決手段】  対向配置されたフランジ２と、これらフランジ２間に一体に設けられたウエブ３とを有し、かつその細長比が限界細長比未満となる諸元を有するＨ形断面のブレース芯材１を座屈補剛するためのブレースの座屈補剛構造であって、ブレース芯材１のウエブ３の各々の側面に、フランジ２間の寸法よりせいの低い補剛材４を、各々の縦部材４ａをウエブ３に添わせて配設し、これら補剛材４とウエブ３とを、ブレース芯材１に作用する軸方向力が互いの接触面における摩擦力によって伝達されない状態で連結部材６，７，８によって連結した。【選択図】  図１
2005220731.tif 000002
【特許請求の範囲】
【請求項１】
対向配置されたフランジと、これらフランジ間に一体に設けられたウエブとを有し、かつその細長比が限界細長比未満となる諸元を有するＨ形断面のブレース芯材を座屈補剛するためのブレースの座屈補剛構造であって、
上記ブレース芯材のウエブの各々の側面に、上記フランジ間の寸法よりせいの低い補剛材を、各々の縦部材を上記ウエブに添わせて配設し、これら補剛材と上記ウエブとを、上記ブレース芯材に作用する軸方向力が互いの接触面における摩擦力によって伝達されない状態で連結部材によって連結したことを特徴とするブレースの座屈補剛構造。
【請求項２】
上記ブレース芯材の長手方向の中間部における上記フランジの幅を、その両端部分における幅よりも狭く形成し、当該中間部とその両端部分との境界部を跨ぐようにして、上記補剛材を添設したことを特徴とする請求項１に記載のブレースの座屈補剛構造。
【請求項３】
上記補剛材は、上記ブレース芯材の最大断面において、上記フランジ間であってかつ上記フランジの両側縁よりも外方に突出しないように形成されていることを特徴とする請求項１または２に記載のブレースの座屈補剛構造。
【請求項４】
上記連結部材は、少なくともボルトと当該ボルトに螺合されるナットとを備えてなり、かつ上記ブレース芯材のウエブに、上記ボルトの一端部を接合し、上記補剛材の縦部材に穿設したボルト挿入孔に上記ボルトを挿通するとともに、このボルト挿入孔から延出する上記ボルトの先端部に、上記ナットを螺合させることにより、上記補剛材と上記ウエブとを連結したことを特徴とする請求項１ないし３のいずれかに記載のブレースの座屈補剛構造。
【発明の詳細な説明】
【技術分野】
【０００１】
本発明は、鉄骨構造等において柱梁架構内に組み込まれるブレースを座屈補剛するための構造に関するものである。
【背景技術】
【０００２】
鉄骨構造や鉄骨鉄筋コンクリート構造においては、柱梁架構に所望の剛性を付与するために、各種のブレースが当該架構の対角線状にあるいはＶ形または逆Ｖ形に組み込まれている。
このようなブレースとしては、平板状、十字型断面、角筒断面、Ｈ形断面等の種々の断面形状のものが用いられているが、いずれも地震時等に座屈荷重以上の圧縮力が作用すると、座屈を生じてその耐力が低下するために、これを防止するため、様々な座屈補剛構造が採用されている。
【０００３】
従来のこの種の座屈補剛構造のうち、Ｈ形断面のブレース芯材に対する補剛構造としては、例えば上記ブレース芯材の外周面に付着防止剤を塗布して、当該ブレース芯材を厚肉の鉄筋コンクリートで囲繞したものや、上記ブレース芯材の周囲を、コンクリートを充填した角型鋼管で被覆したものなどが知られている。
【０００４】
また、従来の他のＨ形断面形状を有するブレース芯材の座屈補剛構造としては、下記特許文献１において提案されている、図８に示すような補剛構造がある。
この補剛構造は、ブレースの芯材となるＨ形断面の鋼製中心軸力部材３０の溝内に、コ字状断面の一対の鋼製座屈拘束部材本体３１を配置し、他方、鋼製中心軸力部材３０の各フランジ３２の外面に帯状鋼板３３を重ねて配置し、この帯状鋼板３３の両側縁と鋼製座屈拘束部材本体３１のフランジ３４との間に棒状の鋼製スペーサ３５を介在させ、帯状鋼板３３の側縁部と鋼製座屈拘束部材本体３１におけるフランジ３４の側縁部とスペーサ３５とをボルト３６によって締め付け結合したものである。
【特許文献１】実開平５−３４０２号公報
【発明の開示】
【発明が解決しようとする課題】
【０００５】
ところで、ブレースに作用する座屈荷重は、ブレースの座屈長さＬをその弱軸方向断面二次半径ｉｙで除した細長比λ＝Ｌ／ｉｙに依存する。図９は、上記ブレースの細長比λと座屈荷重Ｎｃｒとの関係を示すもので、細長比λが大きいほど、換言すればブレースの座屈長さが長いほど、座屈荷重Ｎは低くなり、逆に細長比λが小さいほど座屈荷重Ｎは高くなる。
【０００６】
そして、上述した従来の座屈補剛構造は、いずれも座屈耐力が小さいブレースに対するものである。このため、座屈補剛されたブレースは、ブレース芯材の断面よりも大きな断面となる結果、細長比λが小さく、低い座屈荷重Ｎのブレース芯材に対しても、高い座屈荷重Ｎを得ることができ、よって地震時等に高い圧縮力が作用した場合においても、充分に座屈の発生を防止することができるという利点がある。
【０００７】
一方、図９から明らかなように、細長比λがある程度小さい場合には、ブレースは座屈補剛されなくても充分に高い座屈荷重Ｎを有している。例えば、図９において、限界細長比（弾性座屈を生じる限界を示す最小の細長比）Λは、座屈荷重が降伏荷重Ｎｙの６０％となる場合の細長比であり、約１００程度である。そして、上記細長比λが、この限界細長比Λの約１／３以下になると、ブレースの座屈荷重Ｎは、降伏荷重Ｎｙに近くなり、この結果座屈後の耐力低下も穏やかになることが知られている。
【０００８】
このため、上記限界細長比Λ以下となる長さＬや弱軸方向断面二次半径ｉｙ等の諸元を有するブレース芯材に対して上記従来の座屈補剛構造を適用すると、座屈荷重が高すぎることになり、よって重量が不必要に増加するとともに、施工も煩雑になってコスト高になるという問題点がある。
加えて、最終的なブレースの断面積が大きくなり過ぎるため、外観に劣るとともに、壁厚も不必要に厚くなったり、あるいは採光、通風、視界等の妨げになるという問題点もある。
【０００９】
この発明は、かかる事情に鑑みてなされたもので、細長比が小さいブレース芯材に対する簡易的かつ効果的な座屈補剛構造を提供することを課題とするものである。
【課題を解決するための手段】
【００１０】
上記課題を解決するために、請求項１に記載の発明は、対向配置されたフランジと、これらフランジ間に一体に設けられたウエブとを有し、かつその細長比が限界細長比未満となる諸元を有するＨ形断面のブレース芯材を座屈補剛するためのブレースの座屈補剛構造であって、上記ブレース芯材のウエブの各々の側面に、上記フランジ間の寸法よりせいの低い補剛材を、各々の縦部材を上記ウエブに添わせて配設し、これら補剛材と上記ウエブとを、上記ブレース芯材に作用する軸方向力が互いの接触面における摩擦力によって伝達されない状態で連結部材によって連結したことを特徴とするものである。
【００１１】
また、請求項２に記載の発明は、請求項１に記載の発明において、上記ブレース芯材の長手方向の中間部における上記フランジの幅を、その両端部分における幅よりも狭く形成し、当該中間部とその両端部分との境界部を跨ぐようにして、上記補剛材を添設したことを特徴とするものである。
【００１２】
さらに、請求項３に記載の発明は、請求項１または２に記載の発明において、上記補剛材が、上記ブレース芯材の最大断面において、上記フランジ間であってかつ上記フランジの両側縁よりも外方に突出しないように形成されていることを特徴とするものである。
【００１３】
また、請求項４に記載の発明は、請求項１〜３のいずれかに記載の発明において、上記連結部材は、少なくともボルトと当該ボルトに螺合されるナットとを備えてなり、かつ上記ブレース芯材のウエブに、上記ボルトの一端部を接合し、上記補剛材の縦部材に穿設したボルト挿入孔に上記ボルトを挿通するとともに、このボルト挿入孔から延出する上記ボルトの先端部に、上記ナットを螺合させることにより、上記補剛材と上記ウエブとを連結したことを特徴とするものである。
【発明の効果】
【００１４】
請求項１〜４のいずれかに記載の発明によれば、ブレース芯材のウエブの各々の側面に、フランジ間の寸法よりせいの低い補剛材を添設して、これら補剛材と上記ウエブとを連結部材によって連結した簡易な構造であるために、細長比が限界細長比未満となる諸元を有するＨ形断面のブレース芯材に対して、充分かつ効果的な座屈補剛を行うことができる。また、従来の座屈補剛構造のように、重量が過多になることもなく、かつ施工も容易で経済性に優れる。
ここで、上記補剛材としては、規格材である汎用の溝形鋼または角形鋼管が好適である。
【００１５】
また、請求項２に記載の発明によれば、上記座屈補剛を施したブレースに大きな圧縮力が作用すると、フランジの幅が狭い中間部が先行して降伏する。この結果、ブレースに作用する軸力が制限され、上記中間部の両端部分が非座屈補剛区間となって弾性域に留まるため、当該ブレースの圧縮時における塑性変形挙動を、より一層安定したものにすることができる。加えて、上記ブレース両端と柱や梁との接合部に作用する応力も低減させることができるために、当該接合部の設計を簡素化することも可能になる。
【００１６】
また、請求項３に記載の発明によれば、座屈補剛を施工した後においても、ブレースの外法が、ブレース芯材の外法よりも大きくならないために、意匠上好ましく、かつ壁厚を増加させたり、あるいは採光、通風、視界等の妨げになるといった弊害が生じることもない。さらに、塗装面積や周囲を覆う仕上げ材料も増加することが無く、また耐火被覆が必要な場合においても、被覆面積が増加しないという効果も得られる。
【００１７】
ところで、上記ブレース芯材のウエブに補剛材を連結する上記連結部材として、汎用のボルトおよびナット等を用いた場合には、例えば、上記ウエブと補剛材の縦部材との対向位置に、それぞれ貫通孔を穿設し、これらの貫通孔に上記ボルトを挿通するとともに、当該ボルトの先端側にナットを螺合することによって両者を連結することができる。
【００１８】
ただし、このような連結構造を採用した場合には、ブレース芯材のウエブに貫通孔が穿設されているために、大地震時に当該ブレース芯材が大きな圧縮および引張りの繰り返し変形を受けると、上記貫通孔が断面欠損となり、これを基点として亀裂を生じることにより、ブレースが最終的に破断するおそれがある。
【００１９】
そこで、請求項４に記載の発明のように、上記ブレース芯材のウエブにボルトの一端部を接合し、このボルトを上記補剛材の縦部材に穿設したボルト挿入孔に挿通して、先端部にナットを螺合させれば、上記ウエブに断面欠損となる貫通孔が穿設されないために、上記弊害が生じることがない。したがって、請求項４に記載の発明は、特に請求項２に記載の発明のように、上記ブレースに大きな圧縮力が作用した際に、先行して降伏するフランジの幅が狭い中間部におけるブレース芯材と補剛材との連結に用いて好適である。
【発明を実施するための最良の形態】
【００２０】
（第１の実施形態）
図１〜図４は、本発明に係るブレースの座屈補剛構造の第１の実施形態を示すもので、図中符号１がブレース芯材である。
このブレース芯材１は、上下に水平方向に配されたフランジ２と、これらフランジ２間に一体に設けられたウエブ３とからなるＨ形鋼であり、その細長比は、図９に示した限界細長比Λ未満となる寸法諸元を有するものである。
【００２１】
ここで、ブレース芯材１のフランジ２は、図３および図４に示すように、長手方向の中間部２ａにおける幅が、その両端部分２ｂにおける幅よりも狭くなるように切り欠かれている。また、ウエブ３には、中間部２ａの中央に対応する位置と、両端部分２ｂの中間部２ａ寄りの位置とに、それぞれ貫通孔３ａ、３ｂが穿設されている。なお、中央の貫通孔３ａは、円形状に、両端側の貫通孔３ｂは、ブレース芯材１の延在方向に長い、長穴状に形成されている。
【００２２】
そして、ブレース芯材１のウエブ３の側面に、中間部２ａとその両端部分２ｂとの境界部を跨ぐようにして、補剛材４が添設されている。
この補剛材４は、各々のウエブ（縦部材）４ａの幅寸法が、フランジ２間の寸法より短く、かつフランジ４ｂの幅寸法が、ブレース芯材１の切り欠かれていない両端部分２ｂのフランジ２の両側縁よりも外方に突出しない寸法を有する溝形鋼からなるもので、そのウエブ４ａをブレース芯材１のウエブ３に添わせて配置されている。
【００２３】
この補剛材４のウエブ４ａには、ブレース芯材１側のウエブ３の貫通孔３ａ、３ｂと対向する位置に、それぞれボルト挿入孔５が穿設されている。そして、これら補剛材４とウエブ３とは、互いの貫通孔３ａ、３ｂ、５に挿入されたボルト６に座金７を介してナット８が螺合されることにより連結されている。この際に、ブレース芯材１に作用する軸方向力が互いの接触面における摩擦力によって伝達されないように、ナット８は締め付けられない状態で螺合されている。そして、これらボルト６、座金７およびナット８によって、両者の連結部材が構成されている。
【００２４】
図５は、上記構成からなる座屈補剛が施工されたブレース１０を、鉄筋コンクリート造の柱１１および梁１２からなる架構に格子状に組み込んだ一例を示すものである。
各々のブレース１０は、上述したようにブレース芯材１が、限界細長比Λ未満となる長さＬ、弱軸方向断面二次半径ｉｙ等の諸元を有するものである。そして、各ブレース芯材１の両端部は、隣接するブレース１０のブレース芯材１または柱梁架構の内周に添って組み込まれた耐震補強用の鉄骨枠組１３に剛接合されている。
【００２５】
図６は、上記第１の実施形態における変形例を示すもので、ブレース芯材１等の構成については、図１〜図４に示したものと同様であるために、同一符号を付してその説明を簡略化する。
この実施形態に示す座屈補剛構造が図１〜図４に示したものと相異する点は、補剛材２０として、上記溝形鋼に代えて長方形冷間成形角形鋼管を用い、その長辺側の側壁（縦部材）を上記ウエブ３の各々の側面に添って配設したことにある。
【００２６】
そして、この補剛材２０にあっても、その長辺側の幅寸法が、フランジ２間の寸法より短く、かつ短辺側の幅寸法が、ブレース芯材１の切り欠かれていない両端部分のフランジ２の両側縁よりも外方に突出しない角形鋼管が用いられている。
【００２７】
この補剛材２０においても、ブレース芯材１側のウエブ３の貫通孔３ａ、３ｂと対向する位置に、それぞれボルト６が挿通されるボルト挿入孔２１が穿設されている。また、これらボルト挿入孔２１と対向する外周側にも、ボルト６または座金７およびナット８を挿入するための挿入孔２２が穿設されている。
【００２８】
以上の構成からなるブレースの座屈補剛構造によれば、ブレース芯材１のウエブ３の各々の側面に、フランジ２間の寸法よりせいの低い補剛材４、２０を添設して、これら補剛材４，２０とウエブ３とをボルト６およびナット８によって連結した簡易な構造であるために、細長比λが限界細長比Λ未満となる諸元を有するＨ形断面のブレース芯材１に対して、充分かつ効果的な座屈補剛を行うことができる。
また、従来の座屈補剛構造のように、重量が過多になることもなく、かつ施工も容易で経済性に優れる。
【００２９】
また、座屈補剛を施したブレース１０に大きな圧縮力が作用すると、フランジ２の幅が狭い中間部２ａが先行して降伏する。この結果、ブレース１０に作用する軸力が制限され、中間部２ａの両端部分２ｂが非座屈補剛区間となって弾性域に留まるため、ブレース１０の圧縮時における塑性変形挙動を、より一層安定したものにすることができる。加えて、ブレース芯材１の両端同士の接合部や、各端部と柱梁架構内の鉄骨枠組１３との接合部に作用する応力も低減させることができるために、当該接合部の設計を簡素化することも可能になる。
【００３０】
さらに、座屈補剛を施工した後においても、ブレース１０の外法が、ブレース芯材１の外法よりも大きくならないために、意匠上好ましく、かつ壁厚を増加させたり、あるいは採光、通風、視界等の妨げになるといった弊害を生じることがない。さらに、塗装面積や周囲を覆う仕上げ材料も増加することが無く、また耐火被覆が必要な場合においても、被覆面積が増加しないという効果も得られる。
【００３１】
また、一般にこの種のブレースは、大地震発生時等における塑性化時の歪みが大きいと、各部材表面の塗膜の接着力が低下し、塗膜が剥がれやすくなる。このような場合には、一旦古い塗膜を剥がして清掃し、再塗装しないと錆びやすくなる。また、屋外や相対湿度が７０％以上になり得る屋内などの発錆環境下に用いられる場合には、塑性化を受けずとも、経年劣化により発錆するため、定期的な維持管理としての再塗装が必要になる。
【００３２】
この点、上記構成からなるブレースの座屈補剛構造にあっては、ブレース芯材１のウエブ３の各々の側面に補剛材４、２０を添設して、これらを連結部材によって連結する簡易な構造であり、かつ本実施形態においては、上記連結部材として、ボルト６，座金７およびナット８を用いているので、ブレース芯材１に対する補剛材４，２０の着脱がきわめて容易である。このため、上述した従来の座屈補剛構造と比較して、ブレース芯材１等の再塗装といった保守管理を容易に行うことができる。
【００３３】
（第２の実施形態）
図７（ａ）、（ｂ）は、本発明の第２の実施形態を示すもので、同様に図１〜図４に示したものと同一構成部分については、同一符号を付してある。
この実施形態に示す座屈補剛構造が図１〜図４に示したものと相異する点は、ブレース芯材１におけるフランジ２の幅が狭くなるように切り欠かれた中間部２ａにおいて、ブレース芯材１のウエブ３に、貫通孔３ａが穿設されておらず、当該位置において、ボルト３０、座金３１およびナット３２、３３からなる連結部材によって、補剛材４がブレース芯材１に連結されている点にある。
【００３４】
すなわち、図７（ａ）に示すように、ブレース芯材１のウエブ３の両側に、それぞれボルト３０の一端部が溶接により接合されている。そして、このボルト３０が、補剛材４のウエブ４ａに穿設されたボルト挿入孔５に挿入されている。そしてさらに、ボルト挿入孔５から延出するボルト３０の先端部に、座金３１を間に介してナット３２およびその緩み止めナット３３が螺合されることにより、図７（ｂ）に示すように、ブレース芯材１に補剛材４が連結されている。
【００３５】
ここで、ブレース芯材１に作用する軸方向力が、補剛材４との接触面における摩擦力によって補剛材４側に伝達されないように、ナット３０はウエブ３と補剛材４のウエブ４ａとの間に隙間が形成されるように螺合され、ナット３３によって緩み止めされている。これにより、補剛材４は、ブレース芯材１に対して軸方向へ相対的に滑動自在に連結されている。なお、本実施形態においては、ボルト３０、座金３１およびナット３２、３３によって、両者の連結部材が構成されている。
【００３６】
上記構成からなるブレースの座屈補剛構造によれば、ブレース芯材１に大きな圧縮力が作用した際に、先行して降伏するフランジ２の幅が狭い中間部２ａにおいて、ブレース芯材１のウエブ３にボルト３０の一端部を接合し、このボルト３０を補剛材４のウエブ４ａに穿設したボルト挿入孔５に挿通して、先端部に座金３１を介してナット３２、３３を螺合させることにより両者を連結しているので、上記中間部２ａに位置するウエブ３に、断面欠損となる貫通孔が穿設されていない。
【００３７】
この結果、大地震時に、ブレース芯材１が大きな圧縮および引張りの繰り返し変形を受けた場合においても、上記連結部分を基点とした亀裂を生じることにより、ブレースが最終的に破断するといったおそれがない。
【００３８】
なお、本発明は、上記第１および第２の実施形態において示したように、ブレース芯材１のウエブ３に、直に補剛材４，２０を添設するのみで充分であるが、これらブレース芯材１と補剛材４，２０との間に付着防止剤や粘弾性体を介在させる場合を排除するものではない。
【００３９】
また、上記実施の形態においては、フランジ２を上下に水平方向に配することにより、面内強軸に配した場合について説明したが、これに限るものではなく、面内弱軸に配したり、あるいは斜めに配したりしてもよい。また、補剛材４，２０についても、入手が容易で経済性に優れる汎用の溝形鋼や角形鋼管を用いた場合についてのみ示したが、これに限定されるものではなく、他の断面形状を有する鋼材を使用することも可能である。
【００４０】
さらに、第２の実施形態においては、第１の実施形態における中間部２ａの貫通孔３ａに代えて、当該部分に貫通孔を穿設することなく、ボルト３０を接合した場合についてのみ説明したが、これに限らず、両端部分２ｂに位置するウエブ３に付いても、同様に貫通孔３ｂを穿設することなく、上記ボルト３０およびナット３２等によって連結してもよい。なお、この場合は、補剛材４のボルト挿入孔５の１以上を、ブレース芯材１の延在方向に長い、長穴状に形成すればよい。
【図面の簡単な説明】
【００４１】
【図１】本発明のブレースの座屈補剛構造の第１の実施形態を示す断面図である。
【図２】図１の正面図である。
【図３】図２のブレース芯材を示す平面図である。
【図４】図３の正面図である。
【図５】上記実施形態のブレースを組み込んだ柱梁架構の一例を示す正面図である。
【図６】上記第１の実施形態の変形例を示す断面図である。
【図７】本発明の第２の実施形態を示すもので、（ａ）は補剛材および連結部材を分解した状態を示す断面図、（ｂ）は組み立てた状態を示す断面図である。
【図８】従来のブレースの座屈補剛構造を示す断面図である。
【図９】一般的なブレースの細長比と座屈荷重との関係を示すグラフである。
【符号の説明】
【００４２】
１  ブレース芯材
２  フランジ
２ａ  中間部
２ｂ  両端部分
３  ウエブ
４、２０  補剛材
４ａ  ウエブ（縦部材）
６、３０  ボルト
７、３１  座金
８、３２、３３  ナット
１０  ブレース
λ  細長比
Λ  限界細長比
【図１】
2005220731.tif 000003
【図２】
2005220731.tif 000004
【図３】
2005220731.tif 000005
【図４】
2005220731.tif 000006
【図５】
2005220731.tif 000007
【図６】
2005220731.tif 000008
【図７】
2005220731.tif 000009
【図８】
2005220731.tif 000010
【図９】
2005220731.tif 000011